(57)【要約】【課題】発電された電力を有効に利用する。【解決手段】電力システムは、自然エネルギーに基づいて発電する発電部と、互いに異なる場所に設置されている複数の蓄電池のうち、充電可能な温度環境にある蓄電池に対して、発電部により発電された電力を蓄電させる蓄電制御部と、を備える。【選択図】図１
2015162969.tif 000002
【特許請求の範囲】
【請求項１】
自然エネルギーに基づいて発電する発電部と、
互いに異なる場所に設置されている複数の蓄電池のうち、充電可能な温度環境にある蓄電池に対して、前記発電部により発電された電力を蓄電させる蓄電制御部と、
を備えることを特徴とする電力システム。
【請求項２】
前記互いに異なる場所には、屋内の場所が含まれ、
前記蓄電制御部は、
前記屋内にある蓄電池を、前記充電可能な温度環境にある蓄電池とする
ことを特徴とする請求項１に記載の電力システム。
【請求項３】
前記互いに異なる場所には、前記発電部が設置されている場所と、前記屋内の場所とが含まれ、
前記蓄電制御部は、
前記発電部が設置されている場所にある蓄電池が充電可能な温度環境にない場合、前記屋内にある蓄電池に対して、前記発電部により発電された電力を蓄電させる
ことを特徴とする請求項２に記載の電力システム。
【請求項４】
前記屋内の場所には、店舗内の場所が含まれる
ことを特徴とする請求項２または３に記載の電力システム。
【請求項５】
前記蓄電制御部は、
前記店舗の営業時間に基づいて、営業中の前記店舗内にある蓄電池を、前記充電可能な温度環境にある蓄電池とする
ことを特徴とする請求項４に記載の電力システム。
【請求項６】
前記蓄電制御部は、
充電可能な温度環境にある蓄電池が複数ある場合、当該充電可能な複数の蓄電池のそれぞれの蓄電状態に基づいて、前記発電部により発電された電力を蓄電させる蓄電池を選択する
ことを特徴とする請求項１から５の何れか一項に記載の電力システム。
【請求項７】
前記蓄電制御部は、
充電可能な温度環境にある蓄電池が複数ある場合、前記発電部が設置されている場所からの距離が近い場所にある蓄電池を、前記発電部により発電された電力を蓄電させる蓄電池として優先する
ことを特徴とする請求項１から６の何れか一項に記載の電力システム。
【請求項８】
前記複数の蓄電池のそれぞれが、充電可能な温度環境にあるか否かを判定する判定部、
を備え、
前記蓄電制御部は、
前記判定部により充電可能な温度環境にあると判定された蓄電池に対して、前記発電部により発電された電力を蓄電させる
ことを特徴とする請求項１から７の何れか一項に記載の電力システム。
【請求項９】
前記互いに異なる場所には、前記発電部が設置されている場所と、屋内の場所とが含まれ、
前記蓄電制御部は、
前記判定部により、前記発電部が設置されている場所にある蓄電池が充電可能な温度環境にないと判定され、かつ前記屋内にある蓄電池が充電可能な温度環境にあると判定された場合、前記屋内にある蓄電池に対して、前記発電部により発電された電力を蓄電させる
ことを特徴とする請求項８に記載の電力システム。
【請求項１０】
前記複数の蓄電池のそれぞれは、少なくとも配電線を介して前記発電部に接続されており、
前記蓄電制御部は、
前記配電線を介して、前記発電部により発電された電力を前記複数の蓄電池のいずれかに蓄電させる
ことを特徴とする請求項１から９の何れか一項に記載の電力システム。
【請求項１１】
互いに異なる場所に設置されている複数の蓄電池のうち、充電可能な温度環境にある蓄電池に対して、自然エネルギーに基づいて発電する発電部により発電された電力を蓄電させる蓄電制御部、
を備えることを特徴とする蓄電制御装置。
【請求項１２】
電力システムの制御方法であって、
自然エネルギーに基づいて発電するステップと、
互いに異なる場所に設置されている複数の蓄電池のうち、充電可能な温度環境にある蓄電池に対して、自然エネルギーに基づいて発電された電力を蓄電させるステップ、
を含むことを特徴とする制御方法。
【請求項１３】
コンピュータに、
自然エネルギーに基づいて発電する発電部により発電された電力を検出するステップと、
互いに異なる場所に設置されている複数の蓄電池のうち、充電可能な温度環境にある蓄電池に対して、前記発電部により発電された電力を蓄電させるステップ、
を実行させるためのプログラム。
【発明の詳細な説明】
【技術分野】
【０００１】
本発明は、電力システム、蓄電制御装置、制御方法、及びプログラムに関する。
【背景技術】
【０００２】
太陽光発電装置が発電する電力を電力需要に応じて効率よく供給するために、発電電力量が電力需要量より多くなることにより生じる余剰電力を蓄電池に一時的に蓄えて、蓄えた電力を電力需要量の多い時間に供給するシステムがある。このようなシステムでは、電力を効率よく蓄えることが必要とされることから、例えば、蓄電可能な電力のエネルギー密度が比較的高いリチウムイオン電池が利用されている。
蓄電池には安定に利用できる温度範囲が定められており、その温度範囲内で当該蓄電池を利用することが必要とされる。仮に、安定に利用できる温度範囲外で利用した場合に、蓄電池の電極の劣化が進行してしまうものがある。例えば、リチウムイオン電池は、安定に利用できる温度範囲より低い温度環境のもとで充電すると電極の劣化が進行することが知られている。
関連する蓄電池（二次電池）の充放電制御方法として、充電を許可する温度の温度範囲と放電を許可する温度の温度範囲をそれぞれ指定して、充電時と放電時とで温度範囲を切り替える技術がある（特許文献１）。特許文献１に技術によれば、充電を許可する温度範囲の下限温度を、放電を許可する温度範囲の下限温度より高くして、充電を許可する温度範囲を下回る低温時の充電を制限する。
【先行技術文献】
【特許文献】
【０００３】
【特許文献１】特開２０１１−１５５８２０号公報
【発明の概要】
【発明が解決しようとする課題】
【０００４】
しかしながら、特許文献１の技術では、低温時に蓄電への蓄電（充電）が制限されるため、余剰電力があったとしても低温時には蓄電池に蓄えることができないことがある。よって、発電された電力を有効に利用できないことがあった。
本発明は、上記した事情に鑑みてなされたもので、発電された電力を有効に利用することができる電力システム、蓄電制御装置、制御方法、及びプログラムを提供するものである。
【課題を解決するための手段】
【０００５】
本発明の一態様は、自然エネルギーに基づいて発電する発電部と、互いに異なる場所に設置されている複数の蓄電池のうち、充電可能な温度環境にある蓄電池に対して、前記発電部により発電された電力を蓄電させる蓄電制御部と、を備えることを特徴とする電力システムである。
【０００６】
また、本発明の一態様は、上記電力システムにおいて、前記互いに異なる場所には、屋内の場所が含まれ、前記蓄電制御部が、前記屋内にある蓄電池を、前記充電可能な温度環境にある蓄電池とすることを特徴とする。
【０００７】
また、本発明の一態様は、上記電力システムにおいて、前記互いに異なる場所には、前記発電部が設置されている場所と、前記店舗内の場所とが含まれ、前記蓄電制御部が、前記発電部が設置されている場所にある蓄電池が充電可能な温度環境にない場合、前記店舗内にある蓄電池に対して、前記発電部により発電された電力を蓄電させることを特徴とする。
【０００８】
また、本発明の一態様は、上記電力システムにおいて、前記屋内の場所には、店舗内の場所が含まれることを特徴とする。
【０００９】
また、本発明の一態様は、上記電力システムにおいて、前記蓄電制御部が、前記店舗の営業時間に基づいて、営業中の前記店舗内にある蓄電池を、前記充電可能な温度環境にある蓄電池とすることを特徴とする。
【００１０】
また、本発明の一態様は、上記電力システムにおいて、前記蓄電制御部が、充電可能な温度環境にある蓄電池が複数ある場合、当該充電可能な複数の蓄電池のそれぞれの蓄電状態に基づいて、前記発電部により発電された電力を蓄電させる蓄電池を選択することを特徴とする。
【００１１】
また、本発明の一態様は、上記電力システムにおいて、前記蓄電制御部が、充電可能な温度環境にある蓄電池が複数ある場合、前記発電部が設置されている場所からの距離が近い場所にある蓄電池を、前記発電部により発電された電力を蓄電させる蓄電池として優先することを特徴とする。
【００１２】
また、本発明の一態様は、上記電力システムにおいて、前記複数の蓄電池のそれぞれが、充電可能な温度環境にあるか否かを判定する判定部、を備え、前記蓄電制御部が、前記判定部により充電可能な温度環境にあると判定された蓄電池に対して、前記発電部により発電された電力を蓄電させることを特徴とする。
【００１３】
また、本発明の一態様は、上記電力システムにおいて、前記互いに異なる場所には、前記発電部が設置されている場所と、前記屋内の場所とが含まれ、前記蓄電制御部は、前記判定部により、前記発電部が設置されている場所にある蓄電池が充電可能な温度環境にないと判定され、かつ前記屋内にある蓄電池が充電可能な温度環境にあると判定された場合、前記屋内にある蓄電池に対して、前記発電部により発電された電力を蓄電させることを特徴とする。
【００１４】
また、本発明の一態様は、上記電力システムにおいて、前記複数の蓄電池のそれぞれは、少なくとも配電線を介して前記発電部に接続されており、前記蓄電制御部が、前記配電線を介して、前記発電部により発電された電力を前記複数の蓄電池のいずれかに蓄電させることを特徴とする。
【００１５】
また、本発明の一態様は、互いに異なる場所に設置されている複数の蓄電池のうち、充電可能な温度環境にある蓄電池に対して、自然エネルギーに基づいて発電する発電部により発電された電力を蓄電させる蓄電制御部、を備えることを特徴とする蓄電制御装置である。
【００１６】
また、本発明の一態様は、電力システムの制御方法であって、自然エネルギーに基づいて発電するステップと、互いに異なる場所に設置されている複数の蓄電池のうち、充電可能な温度環境にある蓄電池に対して、自然エネルギーに基づいて発電された電力を蓄電させるステップ、を含むことを特徴とする制御方法である。
【００１７】
また、本発明の一態様は、コンピュータに、自然エネルギーに基づいて発電する発電部により発電された電力を検出するステップと、互いに異なる場所に設置されている複数の蓄電池のうち、充電可能な温度環境にある蓄電池に対して、前記発電部により発電された電力を蓄電させるステップ、を実行させるためのプログラムである。
【発明の効果】
【００１８】
本発明によれば、発電された電力を有効に利用することができる。
【図面の簡単な説明】
【００１９】
【図１】第１の実施形態による電力システムの概略構成の一例を示す構成図である。
【図２】第１の実施形態による蓄電制御装置の概略構成の一例を示す構成図である。
【図３】第１の実施形態による温度環境情報の一例を示す図である。
【図４】蓄電制御処理の手順の一例を示すフローチャートである。
【図５】第２の実施形態による蓄電制御装置の概略構成の一例を示す構成図である。
【図６】第２の実施形態による設置場所情報の一例を示す図である。
【図７】第３の実施形態による蓄電制御装置の概略構成の一例を示す構成図である。
【図８】第３の実施形態による設置場所情報の一例を示す図である。
【図９】第４の実施形態による電力システムの概略構成の一例を示す構成図である。
【発明を実施するための形態】
【００２０】
以下、図面を参照して、本発明の実施の形態について説明する。
＜第１の実施形態＞
太陽光発電のような自然エネルギーに基づいて発電する発電設備は、大規模な発電設備から小規模な発電設備まで含めて広範な地域に設置されるようになってきている。小規模発電の例としては、例えば、商業ビル、店舗、一般家庭などに加えて、災害時の停電対応として、携帯電話の基地局への設置なども推進されている。このような発電設備では、例えば、電力需要に応じて効率よく供給するために、発電電力量が電力需要量より多くなることにより生じる余剰電力を蓄電池に一時的に蓄えて、蓄えた電力を電力需要量の多い時間に供給するようにしている。
【００２１】
ところで、蓄電池としては、例えば、蓄電可能な電力のエネルギー密度が比較的高いリチウムイオン電池が利用されることがあるが、定格温度範囲より低い温度で蓄電すると電極の劣化につながる場合がある。そのため、屋外に設置されている発電設備では、地域、季節、天候、時間などによって、設置している蓄電池が低温状態となり、その低い温度環境のもとで充電すると蓄電池の電極の劣化が進行することがある。そこで、低温状態のときには充電を行わないように制限することが考えられるが、その場合、余剰電力があったとしてもその電力を蓄えておくことができなくなる。例えば、寒冷地では昼間でも気温が低い場合があり、昼間に余剰電力が生じたとしても気温が低いことによりその電力を夜間に利用するために蓄えておくことができなくなる。その対策として、蓄電池の温度を高めようとすると暖房設備が必要になる。特に、蓄電池の容量が多い場合には、蓄電池を配置する施設と、その施設内の温度を高めるための暖房設備が必要になり、電力的にも経済的にも効率がよくない。
【００２２】
そこで、本実施形態による電力システムでは、配電線を介して発電設備に接続される他の設備の蓄電池まで電力を送って蓄電させるように制御する。この場合の他の設備の蓄電池とは、低温状態ではなく充電可能な温度環境に配置されている蓄電池である。例えば、この蓄電池は、コンビニエンスストアなどの店舗やサーバルームなどのように、店舗内の暖房設備による熱やサーバから放出される熱などにより充電可能な温度環境が保たれるような施設の屋内に配置されている。即ち、本実施形態による電力システムでは、配電線を介して接続される設備として、蓄電池を温めることを目的とする熱源以外からの熱により、外気温が低い場合でも低温状態にならずに充電可能な温度環境が保たれるような施設の屋内に蓄電池が設置される設備を、少なくとも一つ以上備えるようにした。
【００２３】
これにより、発電設備に設置されている蓄電池が低温状態であっても、蓄電池の温度を高めるための専用の暖房設備を必要とせずに、発電設備により発電された電力を蓄えておくことができる。蓄えられた電力は、その蓄電池を有する設備で利用してもよいし、配電線に接続された他の設備に提供してもよい。これにより、発電された電力の利用効率を高めることができる。
以下、発電された電力を温度状態によって選択した蓄電池に蓄電させる蓄電制御を行う本実施形態による電力システムについて説明する。
【００２４】
図１は、本発明の第１の実施形態による電力システム１の概略構成の一例を示す構成図である。
この図に示す電力システム１は、発電所１０と、発電設備２０と、クラスタ３０と、送電系統４０と、配電系統５０と、蓄電制御装置６０と、を備えている。ここで、本実施形態における用語「クラスタ」とは、自然エネルギー（再生可能エネルギー）利用の分散型電源から構成される発電装置、蓄電装置、または負荷装置を備える需要家の設備を１単位（例えば、ビル、店舗、無線基地局単位の設備）とする電力クラスタ（Electricity Cluster）を意味している。なお、ここでは電力システム１が、２つの発電設備２０（発電設備２０−１、発電設備２０−２）と、３つのクラスタ３０（クラスタ３０−１、クラスタ３０−２、クラスタ３０−３）と、を備えている例を示しているが、それぞれ任意の数とすることができる。
【００２５】
発電所１０は、火力、水力、原子力などの各種エネルギーに基づいて発電する。これらの発電所１０が発電する電力は、クラスタ（需要家の設備）に安定な電力が供給されるように管理されている。発電所１０は、送電系統４０に接続されている。送電系統４０は、配電系統５０に接続されており、発電所１０が発電した電力を、送電線を介して配電系統５０に対して送電する。配電系統５０は、発電所１０から送電系統４０を介して送電された電力を、配電線を介して発電設備２０及びクラスタ３０に配電する。なお、ここでは、１つの発電所１０が送電系統４０に接続されている例を示しているが、発電所１０の数は任意の数とすることができる。
【００２６】
発電設備２０は、自然エネルギーに基づいて発電する。例えば、自然エネルギーとして太陽光、太陽熱、風力、波力、地熱などが挙げられる。これらの自然エネルギーに基づいて発電設備２０が発電する電力は、発電する場所の天候や気候など周囲の環境の変化の影響を受けて変動する。この発電設備２０は、配電系統５０に接続されている。
【００２７】
例えば、発電設備２０は、太陽光に基づいて発電する発電装置２１０（発電部の一例）と、蓄電池（例えば、リチウムイオン電池）を有する蓄電装置２２０とを備えている。発電装置２１０が発電した電力は、配電系統５０を介してクラスタ３０に配電される。また、発電装置２１０が発電した電力のうちの余剰電力は、蓄電装置２２０に蓄電され、クラスタ３０の電力需要に応じて放電されて配電系統５０を介してクラスタ３０に配電される。なお、蓄電装置２２０は、配電系統５０を介して受電した電力を蓄電することも可能である。なお、ここでは、発電設備２０−１及び発電装置２０−２のそれぞれの蓄電装置２２０は、屋外に設置されているものとする。
【００２８】
クラスタ３０は、配電系統５０に接続されている需要家の設備である。例えば、クラスタ３０は、太陽光に基づいて発電する発電装置３１０と、蓄電装置３２０と、負荷装置３３０と、を備えている。蓄電装置３２０は、蓄電池（例えば、リチウムイオン電池）を有しており、配電系統５０を介して受電した電力（発電所１０が発電した電力または発電設備２０が発電した電力）や発電装置３１０が発電した電力を蓄電する。
【００２９】
蓄電装置３２０に蓄えられた電力は、負荷装置３３０の電力需要に応じて負荷装置３３０に給電される。また、蓄電装置３２０に蓄えられた電力は、他の設備の電力需要に応じて配電系統５０を介して他のクラスタ３０または発電設備２０に配電される。負荷装置３３０は、配電系統５０を介して受電した電力、発電装置３１０が発電した電力、または蓄電装置３２０に蓄えられた電力を消費する。
【００３０】
なお、ここでは、クラスタ３０−１、クラスタ３０−２、及びクラスタ３０−３が同様に発電装置３１０、蓄電装置３２０、及び負荷装置３３０を備えた構成であるものとして説明するが、発電装置３１０、蓄電装置３２０、及び負荷装置３３０のうちの少なくとも１つを備えたクラスタ３０が配電系統５０に接続されていてもよい。また、ここでは、クラスタ３０−１及びクラスタ３０−２は、屋外に設置された設備であるとし、クラスタ３０−３は屋内（例えば、コンビニエンスストアなどの店舗内）に設置された設備であるとする。即ち、クラスタ３０−１及びクラスタ３０−２にそれぞれ備えられた蓄電装置３２０は屋外に設置されており、クラスタ３０−３に備えられた蓄電装置３２０は屋内（店舗内）に設置されているものとする。なお、クラスタ３０−３が備える構成のうちの発電装置３１０は屋外（店舗の屋根など）に設置されているが、以下では、説明を容易にするため、「屋内に蓄電池が設置されているクラスタ３０−３」のことを、単に「屋内にあるクラスタ３０−３」などとも称する。
【００３１】
蓄電制御装置６０は、配電系統５０を介して接続される発電設備２０及びクラスタ３０のそれぞれから情報を収集する。また、蓄電制御装置６０は、収集した情報に基づいて、発電設備２０及びクラスタ３０の動作を制御する制御信号を発電設備２０及びクラスタ３０に送信する。例えば、蓄電制御装置６０は、発電設備２０により発電された電力を、配電系統５０を介して接続されるいずれの蓄電池に蓄電させるかを制御する。具体的には、蓄電制御装置６０は、発電設備２０及びクラスタ３０のそれぞれの蓄電池が設置されている環境の温度情報を取得し、取得した温度情報に基づいて、発電設備２０により発電された電力を蓄電させるための蓄電池を選択する。
【００３２】
次に、図２を参照して、蓄電制御装置６０の構成について詳しく説明する。
図２は、本実施形態による蓄電制御装置６０の概略構成の一例を示す構成図である。この図に示す蓄電制御装置６０は、通信部６１０と、情報収集部６２０と、温度環境判定部６３０（判定部の一例）と、記憶部６４０と、蓄電制御部６５０と、を備えている。
【００３３】
通信部６１０は、通信網を介して発電設備２０（発電設備２０−１、発電設備２０−２）、及びクラスタ３０（クラスタ３０−１、クラスタ３０−２、クラスタ３０−３）と通信する。
【００３４】
情報収集部６２０は、発電設備２０及びクラスタ３０のそれぞれの発電装置の発電状態、蓄電池の蓄電状態（例えば、蓄電池残容量ＳＯＣ（State of charge））、電力消費量などの情報を、通信部６１０を介して取得して収集する。また、情報収集部６２０は、発電設備２０及びクラスタ３０のそれぞれの蓄電装置（蓄電装置２２０または蓄電装置３２０）が有する蓄電池が設置されている環境の温度情報を収集する。この温度情報は、蓄電池の温度または蓄電池の周囲温度（近傍の温度）である。例えば、温度情報は、発電設備２０及びクラスタ３０のそれぞれにおいて、蓄電池に設けられた温度センサにより検出された温度、または蓄電池の近傍に設けられた温度センサにより検出された温度に基づいた温度情報である。また、情報収集部６２０は、発電設備２０及びクラスタ３０のそれぞれから取得した各種情報を、温度環境判定部６３０、記憶部６４０、または蓄電制御部６５０に供給する。
【００３５】
温度環境判定部６３０は、発電設備２０及びクラスタ３０のそれぞれの蓄電池が、充電可能な温度環境にあるか否かを判定する。例えば、蓄電池に対する充電を許可する温度範囲が設定されており、この温度範囲に基づいて、充電可能な温度環境にあるか否かを判定する判定基準値が定まる。温度環境判定部６３０は、情報収集部６２０が取得した発電設備２０及びクラスタ３０のそれぞれの温度情報と、蓄電池の充電可能な温度範囲に基づいて定まる判定基準値とに基づいて、それぞれの蓄電池が充電可能な温度環境にあるか否かを判定する。そして、温度環境判定部６３０は、判定した結果を示す判定結果情報を、記憶部６４０及び蓄電制御部６５０に供給する。
【００３６】
記憶部６４０は、配電系統５０に接続されている各設備の情報、各設備から情報収集部６２０が収集した各種情報、情報収集部６２０が収集した情報に基づいて生成された情報などを記憶する。例えば、記憶部６４０は、設備位置情報記憶部６４１と、電力状態情報記憶部６４２と、温度環境情報記憶部６４３と、を備えている。
【００３７】
設備位置情報記憶部６４１は、発電設備２０及びクラスタ３０のそれぞれが設置されている位置を示す設備位置情報を記憶する。例えば、設備位置情報には、設備を識別する設備情報と、その設備の位置情報とが関連付けられた情報が含まれる。設備の位置情報には、例えば、緯度、経度、及び高度を示す情報が含まれている。蓄電制御部６５０は、この設備位置情報を参照することにより、例えば、各設備間の距離を算出する。
【００３８】
電力状態情報記憶部６４２は、情報収集部６２０が取得した発電設備２０及びクラスタ３０のそれぞれの発電装置の発電状態、蓄電池の蓄電状態、電力消費量などの電力状態情報を記憶する。例えば、電力状態情報には、設備を識別する設備情報と、その設備の発電装置の発電状態、蓄電池の蓄電状態、電力消費量などを示す情報とが関連付けられた情報が含まれる。蓄電制御部６５０は、この電力状態情報を参照することにより、各設備の発電装置の発電電力量、余剰電力量、蓄電池残容量ＳＯＣなどを取得する。
【００３９】
温度環境情報記憶部６４３は、発電設備２０及びクラスタ３０のそれぞれの蓄電池が充電可能な温度環境にあるか否かを示す温度環境情報を記憶する。この温度環境情報は、温度環境判定部６３０が判定した結果を示す判定結果情報に基づいて、記憶または更新される。
【００４０】
図３は、温度環境情報記憶部６４３に記憶されている温度環境情報の一例を示す図である。温度環境情報には、設備を識別する設備情報（設備）と、その設備の蓄電池が設置されている温度環境を示す情報（温度環境）として蓄電池に充電可能であるか否かを示す情報（ここでは、「充電許可」または「充電禁止」）と、が関連付けられた情報が含まれる。この図３の例では、発電設備２０−１、発電設備２０−２、クラスタ３０−１、及びクラスタ３０−２のそれぞれの蓄電池が、充電可能な温度環境にない（充電禁止）ことを示しており、クラスタ３０−３の蓄電池が、充電可能な温度環境にある（充電許可）ことを示している。
【００４１】
なお、この図では、屋内に設置されているクラスタ３０−３の蓄電池のみが充電可能な温度環境にある（充電許可）例を示しているが、屋外にある他の設備でも、充電可能な温度環境にある場合には充電許可を示す情報が関連付けられる。
【００４２】
蓄電制御部６５０は、通信部６１０を介して制御信号を発電設備２０及びクラスタ３０に送信することにより、発電設備２０及びクラスタ３０のそれぞれの動作の制御を行う。例えば、蓄電制御部６５０は、互いに異なる場所に設置されている各設備が備える蓄電池のうち、充電可能な温度環境にある蓄電池に対して、発電設備２０及びクラスタ３０のいずれかの発電装置により発電された電力を蓄電させるように制御する。ここで、各設備の蓄電池が設置されている互いに異なる場所には、屋内の場所が含まれている。例えば、図１に示す電力システム１の例では、クラスタ３０−３の蓄電池が、屋内に設置された蓄電池である。即ち、このクラスタ３０−３の蓄電池は、外気が低温状態のときであっても、充電可能な温度環境にある蓄電池である。
【００４３】
具体的には、蓄電制御部６５０は、温度環境判定部６３０が判定した結果に基づいて、それぞれの蓄電池が充電可能な温度環境にあるか否かを示す情報を取得する。そして、蓄電制御部６５０は、例えば、発電設備２０−１の発電装置２１０が設置されている場所にある蓄電池が充電可能な温度環境にない場合、他の設備の充電可能な温度環境にある蓄電池（例えば、屋内にあるクラスタ３０−３の蓄電池）に対して、発電設備２０−１の発電装置２１０により発電された電力を蓄電させる。このように、蓄電制御部６５０は、各設備に設置されている複数の蓄電池のそれぞれの温度情報に基づいて、蓄電させる蓄電池を選択する。
【００４４】
なお、蓄電制御部６５０は、温度環境判定部６３０が判定した結果を、温度環境判定部６３０から取得してもよいし、温度環境判定部６３０が判定した結果が記憶されている温度環境情報記憶部６４３の温度環境情報を参照して、温度環境判定部６３０が判定した結果を取得してもよい。
【００４５】
次に、図４を参照して、本実施形態による電力システム１における蓄電制御処理の動作について説明する。図４は、本実施形態による蓄電制御処理の一例を示すフローチャートである。ここでは、発電設備２０−１が発電した電力に余剰電力が生じた場合に、発電設備２０−１の蓄電池が低温状態であって充電可能な温度環境にないため、他の設備の充電可能な温度環境にある蓄電池に余剰電力を蓄電させる蓄電制御処理の例を説明する。
【００４６】
まず、情報収集部６２０は、発電設備２０及びクラスタ３０のそれぞれの発電装置の発電状態、蓄電池の蓄電状態、電力消費量、及び蓄電池が設置されている環境の温度情報を収集する（ステップＳ１０）。
【００４７】
次に、蓄電制御部６５０は、情報収集部６２０が収集した発電設備２０及びクラスタ３０のそれぞれの発電状態、蓄電状態、及び電力消費量に基づいて、発電装置により発電された電力に余剰電力が生じている設備があるか否かを判定する（ステップＳ２０）。ステップＳ２０において、余剰電力が生じている設備がないと判定された場合（ステップＳ２０：Ｎｏ）、蓄電制御部６５０は、蓄電制御を行わずに処理を終了する。
【００４８】
一方、ステップＳ２０において、余剰電力が生じている設備があると判定された場合（ステップＳ２０：Ｙｅｓ）、温度環境判定部６３０は、発電設備２０及びクラスタ３０のそれぞれの蓄電池が充電可能な温度環境にあるか否かを、情報収集部６２０が取得した発電設備２０−１の蓄電池の温度情報と、その蓄電池に対する充電を許可する温度範囲とに基づいて判定する。そして、蓄電制御部６５０は、温度環境判定部６３０が判定した判定結果に基づいて、余剰電力が生じている設備（ここでは、発電設備２０−１）の蓄電池が充電可能な温度環境にあるか否かを判定する（ステップＳ３０）。
【００４９】
ステップＳ３０において、発電設備２０−１の蓄電池が充電可能な温度環境にないと判定された場合（ステップＳ３０：Ｎｏ）、蓄電制御部６５０は、温度環境判定部６３０の判定結果に基づいて、充電可能な温度環境にある蓄電池を、発電設備２０−１により発電された電力（余剰電力）を蓄電させる蓄電池として選択する。ここでは、屋内にあるクラスタ３０−３の蓄電池が充電可能な温度環境にある蓄電池であると温度環境判定部６３０により判定され、蓄電制御部６５０は、クラスタ３０−３の蓄電池を、発電設備２０−１により発電された電力（余剰電力）を蓄電させる蓄電池として選択する（ステップＳ４０）。
【００５０】
次に、蓄電制御部６５０は、選択したクラスタ３０−３の蓄電池に対して、発電設備２０−１の発電装置２１０により発電された電力（余剰電力）が蓄電されるように、発電設備２０及びクラスタ３０のそれぞれに制御信号を送信する（ステップＳ５０）。即ち、蓄電制御部６５０は、充電可能な温度環境にあるクラスタ３０−３の蓄電池（例えば、屋内にある蓄電池）に対して、発電設備２０−１により発電された電力を蓄電させる。
【００５１】
一方、ステップＳ３０において、発電設備２０−１の蓄電池が充電可能な温度環境にあると判定された場合（ステップＳ３０：Ｙｅｓ）、発電設備２０−１の蓄電池に対して、発電設備２０−１の発電装置２１０により発電された電力を蓄電させる（ステップＳ６０）。
【００５２】
このように、本実施形態による電力システム１において、蓄電制御装置６０は、各設備の蓄電池が設置されている環境の温度に基づいて、発電設備２０−１の蓄電池が充電可能な温度環境にない場合には、発電設備２０−１の発電装置２１０により発電された電力を、充電可能な温度環境にあるクラスタ３０−３の蓄電池に配電系統５０を介して蓄電させるように制御する。よって、本実施形態によれば、発電設備２０−１の蓄電池が低温状態で充電できない場合であっても、発電設備２０−１により発電された電力を他の設備の充電可能な蓄電池に蓄えることができるため、発電された電力（余剰電力）を有効に利用することができる。
【００５３】
なお、上述の例では、充電可能な温度環境にある蓄電池がクラスタ３０−３の蓄電池ある場合を例に説明したが、充電可能な温度環境にある蓄電池が複数あることもある。充電可能な温度環境にある蓄電池が複数ある場合には、蓄電制御装置６０は、その複数の蓄電池のうちのいずれか一つを任意に選択して蓄電させてもよいし、いずれか複数を任意に選択して蓄電させてもよい。
【００５４】
また、充電可能な温度環境にある蓄電池が複数ある場合に、蓄電制御装置６０は、その充電可能な複数の蓄電池のそれぞれの蓄電状態（例えば、蓄電池残容量ＳＯＣ）に基づいて、蓄電させる蓄電池を選択してもよい。具体的には、蓄電制御装置６０は、図４のステップＳ４０の処理において、電力状態情報記憶部６４２に記憶されている電力状態情報を参照して、複数の充電可能な温度環境にある蓄電池のうち蓄電池残容量ＳＯＣの値が小さい蓄電池を、発電設備２０−１により発電された電力（余剰電力）を蓄電させる蓄電池として優先して選択してもよい。
【００５５】
これにより、電力システム１において、発電設備２０−１の蓄電池が低温状態で充電できない場合には、他の設備の充電可能な複数の蓄電池のうち蓄電池残容量ＳＯＣの値が小さい蓄電池に優先して、発電設備２０−１により発電された電力（余剰電力）を蓄えることができるため、発電された電力を有効に利用することができる。
【００５６】
また、充電可能な温度環境にある蓄電池が複数ある場合に、蓄電制御装置６０は、その充電可能な複数の蓄電池のそれぞれの発電元（発電設備２０−１が設置されている場所）からの距離に基づいて、蓄電させる蓄電池を選択してもよい。具体的には、蓄電制御装置６０は、図４のステップＳ４０の処理において、設備位置情報記憶部６４１に記憶されている設備位置情報を参照して、充電可能な複数の蓄電池のうち発電元からの距離が近い場所にある蓄電池を、発電設備２０−１により発電された電力（余剰電力）を蓄電させる蓄電池として優先して選択してもよい。
【００５７】
これにより、電力システム１において、発電設備２０−１の蓄電池が低温状態で充電できない場合には、他の設備の充電可能な複数の蓄電池のうち距離が近い蓄電池に優先して、発電設備２０−１により発電された電力（余剰電力）を蓄えることができるため、充電ロスを抑制し、発電された電力を有効に利用することができる。
【００５８】
また、充電可能な温度環境にある蓄電池が複数ある場合には、蓄電制御装置６０は、その充電可能な複数の蓄電池のそれぞれの蓄電状態と、発電元との距離との両方に基づいて、蓄電させる蓄電池を選択してもよい。例えば、蓄電制御装置６０は、蓄電池残容量ＳＯＣが所定の値より小さい蓄電池のうち、発電元との距離が最も近い蓄電池を蓄電させる蓄電池として選択してもよい。
【００５９】
なお、図４に示す蓄電制御処理において、ステップＳ３０及びステップＳ６０の処理を除いた処理としてもよい。即ち、余剰電力が生じている設備（ここでは、発電設備２０−１）の蓄電池が充電可能な温度環境にあるか否かを判定する処理は行わずに、当該蓄電池を含む配電系統５０に接続されている蓄電池のうちから充電可能な温度環境にある蓄電池を、余剰電力を蓄電させる蓄電池として選択してもよい。例えば、余剰電力が生じている設備の蓄電池が充電可能な温度環境にない場合には、この余剰電力が生じている設備の蓄電池ではなく、他の充電可能な温度環境にある蓄電池が選択される。なお、余剰電力が生じている設備の蓄電池が充電可能な温度環境にある場合には、例えば発電元（余剰電力が生じている設備）との距離を優先すると、この余剰電力が生じている設備の蓄電池が選択される。
【００６０】
なお、上述した例では、温度環境判定部６３０は、情報収集部６２０が取得した蓄電池の温度情報に基づいて、その蓄電池が充電可能な温度環境にあるか否かを判定したが、蓄電池の温度情報に代えて、その蓄電池が設置されている場所の近隣の天気情報に含まれる温度情報（気温情報）に基づいて、その蓄電池が充電可能な温度環境にあるか否かを判定してもよい。さらに、温度環境判定部６３０は、その蓄電池が設置されている場所の近隣の天気情報に含まれる温度情報（気温情報）に加えて、時期（季節）や時刻、蓄電池が設置されている環境などを加味して判定してもよい。
【００６１】
なお、上述した例では、発電設備２０−１（発電元）により発電された電力が、クラスタ３０−３の蓄電池（蓄電先）に蓄電される例を説明したが、発電元の設備または蓄電先の設備はこれに限られるものではない。例えば、互いに異なるクラスタ３０どうし、または互いに異なる発電設備どうしが、発電元の設備と蓄電先の設備との関係となってもよい。また、発電設備２０の蓄電池が充電可能な温度環境にあって、クラスタ３０の蓄電池が充電可能な温度環境にない場合には、クラスタ３０により発電された電力が発電設備２０の蓄電池に蓄電されてもよい。
【００６２】
＜第２の実施形態＞
次に、本発明の第２の実施形態について説明する。
上述した第１の実施形態では、蓄電池が充電可能な温度環境にあるか否かを、蓄電池の温度情報に基づいて判定して、充電可能な温度環境にある蓄電池に蓄電させる例を説明した。本実施形態では、蓄電池が屋内に設置されているか否かに基づいて、屋内に設置されている蓄電池を充電可能な温度環境にある蓄電池として蓄電させる例を説明する。
【００６３】
本実施形態による電力システム１の基本的な構成は、図１に示す構成と同様でありその説明を省略する。ここでは、図５を参照して、本実施形態による蓄電制御装置６０Ａの構成について説明する。図５は、本実施形態による蓄電制御装置６０Ａの概略構成の一例を示す構成図である。なお、この図５において図２の各部に対応する構成には同一の符号を付け、その説明を省略する。
【００６４】
蓄電制御装置６０Ａは、通信部６１０と、情報収集部６２０と、記憶部６４０Ａと、蓄電制御部６５０Ａと、を備えている。記憶部６４０Ａは、設備位置情報記憶部６４１と、電力状態情報記憶部６４２と、設置場所情報記憶部６４４Ａと、を備えており、温度環境情報記憶部６４３に代えて設置場所情報記憶部６４４Ａを備えた点が、図２に示す記憶部６４０と異なる。
【００６５】
設置場所情報記憶部６４４Ａは、発電設備２０及びクラスタ３０のそれぞれの蓄電池が設置されている場所に関する設置場所情報を記憶する。この設置場所情報は、設備が設けられたときや設備が変更されたときなどに、システム管理者などの指示に基づいて、設置場所情報記憶部６４４Ａに記憶または更新される。
図６は、設置場所情報記憶部６４４Ａに記憶されている設置場所情報の一例を示す図である。設置場所情報には、設備を識別する設備情報（設備）と、その設備の蓄電池が設置されている設置場所が屋外であるかまたは屋内であるかを示す情報（設置場所）とが関連付けられた情報が含まれている。この図６の例では、発電設備２０−１、発電設備２０−２、クラスタ３０−１、及びクラスタ３０−２の蓄電池が屋外に設置されており、クラスタ３０−３の蓄電池が屋内に設置されていることを示している。
【００６６】
なお、ここでの屋内は、前述したように、外気温が低い場合でも低温状態にならずに充電可能な温度環境が保たれるような施設の屋内であり、例えば、コンビニエンスストアなどの店舗内やサーバルーム内のことを示している。
【００６７】
蓄電制御部６５０Ａは、複数の蓄電池のうち、屋内にある蓄電池を充電可能な温度環境にある蓄電池として選択して、選択した蓄電池に対して、発電設備２０及びクラスタ３０のいずれかの発電装置により発電された電力を蓄電させるように制御する。即ち、本実施形態では、蓄電池の温度情報を用いるのではなく、屋内にある蓄電池であることを条件として、蓄電させる蓄電池を選択する点が第１の実施形態とは異なる。
【００６８】
例えば、蓄電制御部６５０Ａは、設置場所情報記憶部６４４Ａに記憶されている設置場所情報を参照して、発電設備２０−１の蓄電池が充電可能な温度環境にない場合、屋内（店舗内）にあるクラスタ３０−３の蓄電池に対して、発電設備２０−１により発電された電力を蓄電させる。
【００６９】
次に、本実施形態による蓄電制御処理の動作について説明する。本実施形態による蓄電制御処理は、図４に示す蓄電制御処理の例において、ステップＳ３０及びステップＳ４０において行われる具体的な処理以外は第１の実施形態で説明した処理と同様である。そのため、ここではステップＳ３０及びステップＳ４０の処理についてのみ説明する。
【００７０】
ステップＳ３０において、蓄電制御部６５０は、余剰電力が生じている設備（ここでは、発電設備２０−１）の蓄電池が充電可能な温度環境にあるか否かを判定する。具体的には、本実施形態では、蓄電制御部６５０は、発電設備２０−１が設置されている地域の年間の気温の推移や一日の気温の推移を示す情報、現在の時期（季節）や時刻、現在の天気情報、蓄電池が設置されている環境（屋内または屋外）、などに基づいて、発電設備２０−１の蓄電池が充電可能な温度環境にあるか否かを推定する。そして、蓄電制御部６５０は、推定結果に基づいて、発電設備２０−１の蓄電池が充電可能な温度環境にあるか否かを判定する。簡易には、例えば、発電設備２０−１が設置されている地域の現在の季節では屋外に設置されている蓄電池は充電可能な温度環境にない蓄電池であると判定されてもよい。
【００７１】
ステップＳ３０において、発電設備２０−１の蓄電池が充電可能な温度環境にないと判定された場合（ステップＳ３０：Ｎｏ）、蓄電制御部６５０は、充電可能な温度環境にある蓄電池を、発電設備２０−１により発電された電力（余剰電力）を蓄電させる蓄電池として選択する。具体的には、本実施形態では、蓄電制御部６５０は、設置場所情報記憶部６４４Ａに記憶されている設置場所情報を参照して、屋内（店舗内）にあるクラスタ３０−３の蓄電池を、発電設備２０−１により発電された電力（余剰電力）を蓄電させる蓄電池として選択する（ステップＳ４０）。
【００７２】
このように、本実施形態では、蓄電制御装置６０は、発電設備２０−１の蓄電池が充電可能な温度環境にない場合には、発電設備２０−１の発電装置２１０により発電された電力を、屋内にあるクラスタ３０−３の蓄電池に配電系統５０を介して蓄電させるように制御する。よって、本実施形態によれば、発電設備２０−１の蓄電池が低温状態で充電できない場合であっても、発電設備２０−１により発電された電力を他の設備の充電可能な蓄電池に蓄えることができるため、発電された電力（余剰電力）を有効に利用することができる。
【００７３】
なお、本実施形態において、第１の実施形態で説明したように、充電可能な温度環境にある蓄電池が複数ある場合には、蓄電制御装置６０は、充電可能な複数の蓄電池のそれぞれの蓄電状態（例えば、蓄電池残容量ＳＯＣ）と、充電可能な複数の蓄電池のそれぞれの発電元からの距離と、のいずれか一方または両方に基づいて、蓄電させる蓄電池を選択してもよい。また、本実施形態において、第１の実施形態で説明したように、図４に示す蓄電制御処理において、ステップＳ３０及びステップＳ６０の処理を除いた処理としてもよい。
【００７４】
＜第３の実施形態＞
次に、本発明の第３の実施形態について説明する。
上述した第２の実施形態では、蓄電池が屋内に設置されているか否かに基づいて、屋内に設置されている蓄電池を充電可能な温度環境にある蓄電池として蓄電させる例を説明した。
ところで、コンビニエンスストアのような店舗には、２４時間営業の店舗もあれば、１日のうちの所定の時間のみ営業している店舗もある。ここで、１日のうちの所定の時間のみ営業している店舗としては、スーパーマーケットやショッピングモールなどに代表される大型の商業施設などの店舗があり、このような場所には発電装置や蓄電装置の設置が今後も進むことが考えられる。
【００７５】
このように屋内とはいっても、２４時間営業の店舗とは異なり所定の時間のみ営業している店舗もあるため、例えば、営業時間外には低温状態となって充電可能な温度環境ではなくなる場合もある。
そこで、本実施形態では、屋内に設置されている蓄電池であることに加えて、時間の条件も加味して、充電可能な温度環境にある蓄電池を選択する例を説明する。
【００７６】
本実施形態による電力システム１の基本的な構成は、図１に示す構成と同様でありその説明を省略する。ここでは、図７を参照して、本実施形態による蓄電制御装置６０Ｂの構成について説明する。図７は、本実施形態による蓄電制御装置６０Ｂの概略構成の一例を示す構成図である。なお、この図７において図５の各部に対応する構成には同一の符号を付け、その説明を省略する。
【００７７】
蓄電制御装置６０Ｂは、通信部６１０と、情報収集部６２０と、記憶部６４０Ｂと、蓄電制御部６５０Ｂと、計時部６６０と、を備えている。
記憶部６４０Ｂは、設備位置情報記憶部６４１と、電力状態情報記憶部６４２と、設置場所情報記憶部６４４Ｂと、を備えており、設置場所情報記憶部６４４Ｂが記憶する設置場所情報の内容が、図５に示す設置場所情報記憶部６４４Ａが記憶する設置場所情報の内容と一部が異なる。
【００７８】
図８は、設置場所情報記憶部６４４Ｂに記憶されている設置場所情報の一例を示す図である。この図に示す設置場所情報には、図６に示す例と同様に、設備を識別する設備情報（設備）と、その設備の蓄電池が設置されている設置場所が屋外であるかまたは屋内であるかを示す情報（設置場所）とが関連付けられた情報が含まれている。また、この図に示す設置場所情報には、さらに、設置場所の種類を示す情報（場所種別）と、設置場所が店舗の場合には営業時間を示す情報（営業時間）とが、設備情報に関連付けられている。この図８の例は、屋内に設置されている設備として、クラスタ３０−３の他にクラスタ３０−４（図１では不図示）が配電系統５０に接続されている例である。ここでは、クラスタ３０−３は、「場所種別」が「店舗」であり、「営業時間」が「２４時間」である。また、クラスタ３０−４は、「場所種別」が「店舗」であり、「営業時間」が「１０時〜２３時」である。
【００７９】
計時部６６０は、基本周波数信号を発振する発振回路と、発振回路から出力される基本周波数の信号から所定の周波数の信号に分周する分周回路と、を備え、計時用の所定の周波数の計時信号を生成し、生成した計時信号に基づいて計時を行う。なお、計時部６６０は、外部の時刻情報を提供するサーバ装置から取得した時刻情報に基づいて計時を行ってもよい。
【００８０】
蓄電制御部６５０Ｂは、設置場所情報記憶部６４４Ｂに記憶されている設置場所情報を参照して、店舗の営業時間に基づいて、営業中の店舗内にある蓄電池を、充電可能な温度環境にある蓄電池として選択する。例えば、図８に示す例では、２３時から翌１０時までの間では、蓄電制御部６５０Ｂは、クラスタ３０−３の蓄電池に蓄電させるように制御する。一方、１０時から２３時までの間では、蓄電制御部６５０Ｂは、クラスタ３０−３の蓄電池またはクラスタ３０−４の蓄電池に蓄電させるように制御する。例えば、蓄電制御部６５０Ｂは、２３時から翌１０時までの間ではクラスタ３０−３の蓄電池に優先して蓄電させるように制御し、１０時から２３時までの間ではクラスタ３０−４の蓄電池に優先して蓄電させるように制御する。
【００８１】
なお、蓄電制御装置６０は、クラスタ３０−３の蓄電池及びクラスタ３０−４の蓄電池のいずれもが営業中である時間帯の場合には、第１の実施形態で説明したように、充電可能な複数の蓄電池のそれぞれの蓄電状態（例えば、蓄電池残容量ＳＯＣ）と、充電可能な複数の蓄電池のそれぞれの発電元からの距離と、のいずれか一方または両方に基づいて、蓄電させる蓄電池を選択してもよい。
【００８２】
このように、本実施形態では、蓄電制御装置６０は、発電設備２０−１の蓄電池が充電可能な温度環境にない場合には、発電設備２０−１の発電装置２１０により発電された電力を、営業中の店舗内にあるクラスタ３０−３の蓄電池に配電系統５０を介して蓄電させるように制御する。よって、本実施形態によれば、発電設備２０−１の蓄電池が低温状態で充電できない場合であっても、発電設備２０−１により発電された電力を他の設備の充電可能な蓄電池に蓄えることができるため、発電された電力（余剰電力）を有効に利用することができる。
【００８３】
＜第４の実施形態＞
次に、本発明の第４の実施形態について説明する。
第１から第３の実施形態による電力システム１では、１つの配電系統５０に接続されている設備の間で、当該配電系統５０を介して蓄電制御処理が行われる構成を説明した。本実施形態では、複数の配電系統を介して蓄電制御処理が行われる構成について説明する。
【００８４】
以下、図９を参照して、本実施形態による電力システム１Ａの構成を説明する。
図９は、本実施形態による電力システム１Ａの概略構成の一例を示す構成図である。なお、この図９において図１の各部に対応する構成には同一の符号を付け、その説明を省略する。
【００８５】
この図に示す電力システム１Ａは、配電系統５０に加えて、配電系統５０とは異なる配電系統５１が送電系統４０に接続されている。送電系統４０は、発電所１０が発電した電力を、送電線を介して配電系統５０及び配電系統５１に対して送電する。配電系統５１には、配電系統５０と同様に、複数の設備が接続されている。例えば、配電系統５１には、発電設備２１と、クラスタ３１（クラスタ３１−１、クラスタ３１−２）とが接続されている。配電系統５１は、発電所１０から送電系統４０を介して送電された電力を、配電線を介して発電設備２１及びクラスタ３１に配電する。
【００８６】
発電設備２１と、クラスタ３１とは、配電系統５１に接続されている発電設備２０と、クラスタ３０とのそれぞれと基本的な構成が同様であるため説明を省略する。また、蓄電制御装置６１は、蓄電制御装置６０と基本的な構成が同様であり、配電系統５１に接続されている各設備間の蓄電制御処理を行う。
【００８７】
例えば、蓄電制御装置６１は、配電系統５１を介して接続される発電設備２１及びクラスタ３１のそれぞれから情報を収集する。また、蓄電制御装置６１は、収集した情報に基づいて、発電設備２１及びクラスタ３１の動作を制御する制御信号を発電設備２１及びクラスタ３１に送信する。例えば、蓄電制御装置６１は、発電設備２１により発電された電力を、配電系統５１を介して接続されるいずれの蓄電池に蓄電させるかを制御する。なお、蓄電制御装置６１の構成として、第１から第３の実施形態における蓄電制御装置６０、６０Ａ、６０Ｂのいずれの構成も適用することができる。
【００８８】
また、本実施形態による電力システム１Ａにおいては、配電系統５０に接続されている各設備を制御する蓄電制御装置６０と、配電系統５１に接続されている各設備を制御する蓄電制御装置６１とが互いに通信することにより連系して制御を行ってもよい。例えば、蓄電制御装置６０と蓄電制御装置６１とが連系して制御することにより、発電設備２１により発電された電力を、配電系統５１と送電系統４０と配電系統５０とを介して、クラスタ３０−３の蓄電池に蓄電させるように制御してもよい。なお、蓄電制御装置６０と蓄電制御装置６１とが連系して制御することにより、発電設備２０により発電された電力を、配電系統５０と送電系統４０と配電系統５１とを介して、クラスタ３１の蓄電池に蓄電させるように制御してもよい。これら、発電元の設備と蓄電先の設備とは任意に選択することができる。
【００８９】
このように、本実施形態による電力システム１Ａでは、蓄電制御装置６０と蓄電制御装置６１とが連系して制御することにより、互いに異なる配電系統に接続された設備の間で余剰電力が送られて蓄電される蓄電制御処理を行う。これにより、本実施形態によれば、余剰電力が生じた場合に充電可能な蓄電池を広範囲のエリアで探すことができ、余剰電力をロスする可能性を低減することができる。例えば、寒冷地の設備により発電された電力を、温暖な地域の設備の蓄電池まで送って蓄電させることも可能である。よって、発電された電力を有効に利用することができる。
【００９０】
以上、本発明の実施形態について説明したが、上記実施形態において、蓄電制御装置６０（６０Ａ、６０Ｂ、６１）が備える各部は、専用のハードウェアにより実現されるものであってもよく、また、メモリおよびＣＰＵ（中央演算装置）により構成され、上述の各部の機能を実現するためのプログラムをメモリにロードして実行することによりその機能を実現させるものであってもよい。
【００９１】
例えば、上記実施形態において、蓄電制御装置６０（６０Ａ、６０Ｂ、６１）、は、内部にコンピュータシステムを有している。そして、上述の各部の機能を実現するためのプログラムをコンピュータ読み取り可能な記録媒体に記録して、この記録媒体に記録されたプログラムをコンピュータシステムに読み込ませ、実行することにより上述の各部の処理を行ってもよい。なお、ここでいう「コンピュータシステム」とは、ＯＳや周辺機器等のハードウェアを含むものとする。
【００９２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００９３】
なお、ここで、本発明と上述した実施形態との対応関係について補足して説明する。本発明における電力システムは、図１に示す電力システム１または図９に示す電力システム１Ａが対応する。また、本発明における蓄電制御装置は、図１及び図２に示す蓄電制御装置６０、図５に示す蓄電制御装置６０Ａ、図５に示す蓄電制御装置６０Ｂ、または図９に示す蓄電制御装置６０、６１が対応する。また、本発明における発電部は、図１に示す発電装置２１０または発電装置３１０が対応する。また、本発明における蓄電池は、図１に示す蓄電装置２２０または蓄電装置３２０が有する蓄電池が対応する。また、本発明における判定部は、図２に示す温度環境判定部６３０が対応する。また、本発明における配電線は、図１または図９に示す配電系統５０または配電系統５１に備えられた配電線が対応する。
【００９４】
[１]そして、上記実施形態において、電力システム１（１Ａ）は、自然エネルギーに基づいて発電する発電部（例えば、発電装置２１０または発電装置３１０）を備えている。また、電力システム１（１Ａ）は、互いに異なる場所に設置されている複数の蓄電池（例えば、蓄電装置２２０または蓄電装置３２０が有する蓄電池）のうち、充電可能な温度環境にある蓄電池に対して、発電部により発電された電力を蓄電させる蓄電制御部（例えば、蓄電制御部６５０、６５０Ａ、６５０Ｂ）を備えている。
【００９５】
このように、電力システム１（１Ａ）は、自然エネルギーに基づいて発電された電力を、複数の蓄電池うち充電可能な温度環境にある蓄電池に対して蓄電させる。これにより、電力システム１（１Ａ）は、低温状態（例えば、寒冷地などで蓄電池に充電不可能な状態）であっても、自然エネルギーに基づいて発電された電力を蓄電させることができる。よって、電力システム１（１Ａ）は、発電された電力（余剰電力）を有効に利用することができる。
【００９６】
[２]また、上記実施形態において、互いに異なる場所には、例えば、屋内の場所が含まれている。そして、蓄電制御部（例えば、蓄電制御部６５０Ａ、６５０Ｂ）は、屋内にある蓄電池を、充電可能な温度環境にある蓄電池としてもよい。
【００９７】
これにより、電力システム１（１Ａ）は、例えば、屋内の充電可能な環境にある蓄電池（例えば、クラスタ３０−３の蓄電装置３２０が有する蓄電池）に、発電された電力を蓄電させることができる。
【００９８】
[３]また、上記実施形態において、互いに異なる場所には、発電部（例えば、発電設備２０−１の発電装置２１０）が設置されている場所と、屋内の場所とが含まれている。そして、蓄電制御部６５０（例えば、蓄電制御部６５０Ａ、６５０Ｂ）は、発電部が設置されている場所にある蓄電池（例えば、発電設備２０−１の蓄電装置２２０が有する蓄電池）が充電可能な温度環境にない場合、屋内にある蓄電池（例えば、クラスタ３０−３の蓄電装置３２０が有する蓄電池）に対して、発電部により発電された電力を蓄電させてもよい。
【００９９】
これにより、電力システム１（１Ａ）は、例えば、発電設備２０−１の蓄電池が低温状態で充電できない場合であっても、発電設備２０−１により発電された電力を、他の設備の屋内にある蓄電池に蓄えることができるため、発電された電力（余剰電力）を有効に利用することができる。
【０１００】
[４]また、上記実施形態において、屋内の場所には、例えば、店舗内の場所が含まれている。ここで、店舗内の場所は、店舗内の暖房設備の熱により、外気温が低い場合でも低温状態にならずに充電可能な温度環境が保たれている。例えば、店舗として２４時間営業のコンビニエンスストアなどを適用することができる。
【０１０１】
これにより、電力システム１（１Ａ）は、蓄電池の温度を高めるための専用の暖房設備を必要とせずに、発電設備により発電された電力を蓄えておくことができる。よって、電力システム１（１Ａ）は、発電された電力の利用効率を高めることができる。
【０１０２】
なお、屋内の場所は、店舗内の場所に限られるものではなく、例えば、サーバルーム内などであってもよい。屋内の場所としては、例えば、蓄電池を温めることを目的とする熱源以外からの熱により、外気温が低い場合でも低温状態にならずに充電可能な温度環境が保たれるような施設の屋内であることが望ましい。
【０１０３】
[５]また、上記実施形態において、蓄電制御部（例えば、蓄電制御部６５０Ｂ）は、店舗の営業時間に基づいて、営業中の店舗内にある蓄電池を、充電可能な温度環境にある蓄電池としてもよい。
これにより、電力システム１（１Ａ）は、２４時間営業の店舗内に設置された蓄電池のみならず、１日のうちの所定の時間のみ営業している店舗内に設置された蓄電池も、低温状態の設備において発電された電力（余剰電力）を蓄える蓄電池として活用できる。
【０１０４】
[６]また、上記実施形態において、蓄電制御部（例えば、蓄電制御部６５０、６５０Ａ、６５０Ｂ）は、充電可能な温度環境にある蓄電池が複数ある場合、当該充電可能な複数の蓄電池のそれぞれの蓄電状態に基づいて、発電部により発電された電力を蓄電させる蓄電池を選択してもよい。
【０１０５】
これにより、電力システム１（１Ａ）は、充電可能な複数の蓄電池のうち蓄電池残容量ＳＯＣの値が小さい蓄電池に優先して、発電設備２０−１により発電された電力（余剰電力）を蓄えることができるため、発電された電力を有効に利用することができる。
【０１０６】
[７]また、上記実施形態において、蓄電制御部（例えば、蓄電制御部６５０、６５０Ａ、６５０Ｂ）は、充電可能な温度環境にある蓄電池が複数ある場合、発電部が設置されている場所からの距離が近い場所にある蓄電池を、発電部により発電された電力を蓄電させる蓄電池として優先してもよい。
【０１０７】
これにより、電力システム１（１Ａ）は、複数の蓄電池のうち距離が近い蓄電池に優先して、発電設備２０−１により発電された電力（余剰電力）を蓄えることができるため、充電ロスを抑制し、発電された電力を有効に利用することができる。
【０１０８】
[８]また、上記実施形態において、電力システム１（１Ａ）は、複数の蓄電池のそれぞれが、充電可能な温度環境にあるか否かを判定する判定部（例えば、温度環境判定部６３０）を備えてもよい。そして、蓄電制御部（例えば、蓄電制御部６５０）は、温度環境判定部６３０により充電可能な温度環境にあると判定された蓄電池に対して、発電部により発電された電力を蓄電させてもよい。
【０１０９】
これにより、電力システム１（１Ａ）は、複数の蓄電池のそれぞれの温度に基づいて、充電可能な温度環境にある蓄電池に対して、発電された電力（余剰電力）を蓄電させることができる。
【０１１０】
[９]また、上記実施形態において、互いに異なる場所には、発電部（例えば、発電設備２０−１の発電装置２１０）が設置されている場所と、屋内の場所とが含まれている。そして、蓄電制御部６５０（例えば、蓄電制御部６５０）は、判定部（例えば、温度環境判定部６３０）により、発電部が設置されている場所にある蓄電池（例えば、発電設備２０−１の蓄電装置２２０が有する蓄電池）が充電可能な温度環境にないと判定され、かつ屋内にある蓄電池（例えば、クラスタ３０−３の蓄電装置３２０が有する蓄電池）が充電可能な温度環境にあると判定された場合、屋内にある蓄電池に対して、発電部により発電された電力を蓄電させる。
【０１１１】
これにより、電力システム１（１Ａ）は、例えば、発電設備２０−１の蓄電池が低温状態で充電できない場合であっても、発電設備２０−１により発電された電力を、他の設備の充電可能な温度環境にある蓄電池に蓄えることができるため、発電された電力（余剰電力）を有効に利用することができる。
【０１１２】
[１０]また、上記実施形態において、複数の蓄電池のそれぞれは、少なくとも配電線（例えば、配電系統５０に備えられた配電線）を介して発電部に接続されている。そして、蓄電制御部（例えば、蓄電制御部６５０、６５０Ａ、６５０Ｂ）は、配電系統５０を介して、発電部により発電された電力を複数の蓄電池のいずれかに蓄電させる。
【０１１３】
これにより、電力システム１（１Ａ）は、発電された電力（余剰電力）を、配電系統５０に接続される他の設備の充電可能な蓄電池に蓄電させることができる。
なお、電力システム１（１Ａ）は、発電された電力（余剰電力）を、送電系統４０を介して配電系統５０と接続される配電系統５１に、接続される他の設備の充電可能な蓄電池に蓄電させてもよい。
【０１１４】
[１１]また、上記実施形態において、電力システム１は、蓄電制御装置（例えば、蓄電制御装置６０、６０Ａ、６０Ｂ、または６１、以下、特に区別しない場合には蓄電制御装置６０と総称する）を備えている。そして、この蓄電制御装置６０は、例えば、蓄電制御部（例えば、蓄電制御部６５０、６５０Ａ、６５０Ｂ）を備えている。この蓄電制御部は、上述したように、互いに異なる場所に設置されている複数の蓄電池のうち、充電可能な温度環境にある蓄電池に対して、自然エネルギーに基づいて発電する発電部により発電された電力を蓄電させる。
【０１１５】
これにより、電力システム１（１Ａ）において、蓄電制御装置６０は、低温状態（例えば、寒冷地などで蓄電池に充電不可能な状態）であっても、自然エネルギーに基づいて発電された電力を蓄電させることができる。よって、蓄電制御装置６０は、発電された電力（余剰電力）を有効に利用することができる。
【０１１６】
以上、本発明の実施の形態について説明したが、本発明の電力システム１（１Ａ）は、上述の図示例にのみに限定されるものではなく、本発明の要旨を逸脱しない範囲内において種々変更を加え得ることは勿論である。
【０１１７】
例えば、上述の第１から第４の実施形態において説明した各構成は、任意に組み合わせることができる。一例として、第１の実施形態で説明した、蓄電池の温度情報に基づいて蓄電池が充電可能な温度環境にあるか否かを判定する構成と、第２の実施形態で説明した、屋内に設置されている蓄電池を充電可能な温度環境にある蓄電池と判定する構成とを組み合わせた構成としてもよい。
【０１１８】
具体的には、余剰電力が生じている設備（例えば、発電設備２０−１）の蓄電池が充電可能な温度環境にあるか否かを判定する処理では、蓄電池の温度情報に基づいて蓄電池が充電可能な温度環境にあるか否かを判定し、余剰電力を蓄電させる蓄電池を選択する処理では、屋内に設置されている蓄電池を充電可能な温度環境にある蓄電池として選択してもよい。また、上記の逆に、余剰電力が生じている設備（例えば、発電設備２０−１）の蓄電池が充電可能な温度環境にあるか否かを判定する処理では、屋内に設置されている蓄電池であるか否かに基づいて蓄電池が充電可能な温度環境にあるか否かを判定し、余剰電力を蓄電させる蓄電池を選択する処理では、蓄電池の温度情報に基づいて充電可能な温度環境にある蓄電池を選択してもよい。
【０１１９】
なお、図３に示す温度環境情報では、温度環境判定部６３０が判定した結果に基づいて、充電可能であるか否かを示す情報（例えば、「充電許可」または「充電禁止」）が記憶されている例を示したがこれに限られるものではなく、例えば、温度の状態を示す情報（例えば、「非低温状態」または「低温状態」など）、または、温度を示す情報（例えば、「２０度」、「−１０度」など）が記憶されていてもよい。この場合、蓄電制御部６５０は、温度の状態を示す情報や温度を示す情報に基づいて、それぞれの蓄電池が充電可能であるか否かを判定してもよい。
【０１２０】
また、図６及び図８に示す設置場所情報では、蓄電池が設置されている設置場所が屋外であるかまたは屋内であるかを示す情報が設置場所を示す情報として記憶されている例を示したがこれに限られるものではなく、例えば、充電可能な温度環境の場所であるか否かを示す情報、または、充電可能な場所であるか否かを示す情報が記憶されてもいてもよい。
【０１２１】
なお、以上の説明においては、蓄電装置２２０及び蓄電装置３２０が有する蓄電池についてリチウムイオン電池を例示して説明したが、他の種類の蓄電池であってもよい。なお蓄電装置２２０及び蓄電装置３２０における蓄電池の種類や仕様によって、充電可能な温度範囲が異なる。そのため、充電可能な温度環境にあるか否かを判定する判定基準値は、蓄電池の種類や仕様に応じた充電を許可する温度範囲に基づいて定められる。
【０１２２】
また、以上の説明においては、屋内の例として、コンビニエンスストアや商業施設の店舗内、またはサーバルーム内を例示して説明したが、これらに限られるものではない。例えば、屋内としては、充電可能な温度環境が常時または所定の時間保たれる場所であれば、温浴施設内、植物工場内、公共施設内、遊戯施設内などであってもよい。
【符号の説明】
【０１２３】
１、１Ａ・・・電力システム、１０・・・発電所、２０、２１・・・発電設備、
３０、３１・・・クラスタ、４０・・・送電系統、５０、５１・・・配電系統、
６０、６１・・・蓄電制御装置、６１０・・・通信部、６２０・・・情報収集部、
６３０・・・温度環境判定部（判定部）、６４０、６４０Ａ、６４０Ｂ・・・記憶部、
６４１・・・設備位置情報記憶部、６４２・・・電力状態情報記憶部、
６４３・・・温度環境情報記憶部、６４４Ａ、６４４Ｂ・・・設置場所情報記憶部、
６５０、６５０Ａ、６５０Ｂ・・・蓄電制御部、
６６０・・・計時部
【図１】
2015162969.tif 000003
【図２】
2015162969.tif 000004
【図３】
2015162969.tif 000005
【図４】
2015162969.tif 000006
【図５】
2015162969.tif 000007
【図６】
2015162969.tif 000008
【図７】
2015162969.tif 000009
【図８】
2015162969.tif 000010
【図９】
2015162969.tif 000011